(57)【要約】【課題】偽造防止効果を備えた情報表示媒体とその真贋判定方法を提供する。【解決手段】平面状基材に、表裏から観察可能な光透過性のレンズアレイ構造体を設けた情報表示媒体であって、前記基材の表面の一部に、前記レンズアレイとの重ね合わせによって生じるモアレ効果による拡大画像を表示する第１マイクロパターン領域を有し、前記基材の裏面の一部に、前記レンズアレイとの重ね合わせによって生じるモアレ効果による拡大画像を表示する第２マイクロパターン領域を有する。【選択図】図１
2014046667.tif 000002
【特許請求の範囲】
【請求項１】
平面状基材に、表裏から観察可能な光透過性のレンズアレイ構造体を設けた情報表示媒体であって、
前記基材の表面の一部に、前記レンズアレイとの重ね合わせによって生じるモアレ効果による拡大画像を表示する第１マイクロパターン領域を有し、
前記基材の裏面の一部に、前記レンズアレイとの重ね合わせによって生じるモアレ効果による拡大画像を表示する第２マイクロパターン領域を有することを特徴とする情報表示媒体。
【請求項２】
前記平面状基材が開口窓部を有し、前記開口窓部に前記レンズアレイが備えられていることを特徴とする請求項１に記載の情報表示媒体。
【請求項３】
前記平面状基材の少なくとも一部が光透過性の領域を有し、前記光透過性を有する領域に前記レンズアレイが備えられていることを特徴とする請求項１記載の情報表示媒体。
【請求項４】
前記レンズアレイが、円状もしくは円の一部分から成る断面構造を有するマイクロレンズアレイであり、各レンズが正方行列状もしくは三角行列状に配置されていることを特徴とする請求項１〜３のいずれか一項に記載の情報表示媒体。
【請求項５】
前記レンズアレイが、三角形状の断面を有するプリズムレンズアレイであることを特徴とする請求項１〜３のいずれか一項に記載の情報表示媒体。
【請求項６】
前記レンズアレイの構造体の頂部が前記平面状基材の表面から突出していないことを特徴とする請求項１〜５のいずれか一項に記載の情報表示媒体。
【請求項７】
前記第１マイクロパターン及び前記第２マイクロパターン、または前記第１マイクロパターン及び前記第２マイクロパターンのいずれか一方が印刷用インキによって形成されていることを特徴とする請求項１〜６のいずれか一項に記載の情報表示媒体。
【請求項８】
前記第１マイクロパターン及び前記第２マイクロパターン、または前記第１マイクロパターン及び前記第２マイクロパターンのいずれか一方が回折、光散乱、光吸収のいずれかの機能を有する微細構造体から形成されていることを特徴とする請求項１〜７のいずれか一項に記載の情報表示媒体。
【請求項９】
前記第１マイクロパターンと前記レンズアレイとの重ね合わせによって生じるモアレ効果による拡大画像と、
前記第２マイクロパターンと前記レンズアレイとの重ね合わせによって生じるモアレ効果による拡大画像とが、同じ情報を表示することを特徴とする請求項１〜８のいずれか一項に記載の情報表示媒体。
【請求項１０】
前記第１マイクロパターンと前記レンズアレイとの重ね合わせによって生じるモアレ効果による拡大画像と、
前記第２マイクロパターンと前記レンズアレイとの重ね合わせによって生じるモアレ効果による拡大画像とが、異なる情報を表示することを特徴とする請求項１〜８いずれか一項に記載の情報表示媒体。
【請求項１１】
前記情報表示媒体を折り曲げ、前記レンズアレイと前記第１マイクロパターンを重ね合わせた際に生じるモアレ効果による拡大画像と、
前記情報表示媒体を反対側に折り曲げ、前記レンズアレイと前記第２マイクロパターンと
を重ね合わせた際に生じるモアレ効果による拡大画像によって、請求項１〜１０いずれか一項に記載の情報表示媒体の真偽を判定することを特徴とする真贋判定方法。
【発明の詳細な説明】
【技術分野】
【０００１】
本発明は、レンズアレイを備えた偽造防止能を用いた情報表示媒体と、その真贋判定方法に関する。
【背景技術】
【０００２】
偽造防止には、潜像が記録された表示体、観察角度などに応じて色変化を生じる表示体を利用することがある。潜像は、例えば、万線モアレを利用して形成することができる。また、観察角度などに応じた色変化を、回折格子やホログラムを用いて生じさせることができる。
【０００３】
このようなホログラムによる色変化を伴う表示体は、通常の印刷技術では再現できないため、表示体が貼付される紙幣や有価証券類などの情報表示媒体や各種物品に対する偽造防止に効果がある（特許文献１）。
【０００４】
しかしながら、このような技術は偽造防止対策が必要な情報表示媒体やその他物品の多くで用いられるようになった結果、この技術が広く認知され、これに伴い、偽造品の発生も増加する傾向にあり、更なる進歩が望まれている。
【０００５】
また、観察角度などに応じて像変化をもたらす表示体として、レンズアレイを用いた表示体が知られており、マイクロレンズアレイと微細な印刷パターンとが高精度に貼り合わせ、モアレ効果によって生じる拡大画像を表示させることが可能である。この表示体では観察角度が変化することで拡大画像が移動して見えるなど、立体感や奥行き感を伴う表示が可能である（特許文献２）。
【０００６】
しかしながら、このような技術も偽造防止対策が必要な情報表示媒体やその他物品のみならず、玩具や文房具などにも用いられるようになった結果、偽造防止用途としては更なる進歩が望まれている。
【先行技術文献】
【特許文献】
【０００７】
【特許文献１】特開平１０−１２３９１９号公報
【特許文献２】特表２００９−５３６８８５号公報
【発明の概要】
【発明が解決しようとする課題】
【０００８】
本発明の目的は、高い偽造防止効果を備えた情報表示媒体とその真贋判定方法を提供することにある。
【課題を解決するための手段】
【０００９】
上記の課題を解決するための手段として、請求項１に記載の発明は、平面状基材に、表裏から観察可能な光透過性のレンズアレイ構造体を設けた情報表示媒体であって、
前記基材の表面の一部に、前記レンズアレイとの重ね合わせによって生じるモアレ効果による拡大画像を表示する第１マイクロパターン領域を有し、
前記基材の裏面の一部に、前記レンズアレイとの重ね合わせによって生じるモアレ効果による拡大画像を表示する第２マイクロパターン領域を有することを特徴とする情報表示媒体である。
【００１０】
また、請求項２に記載の発明は、前記平面状基材が開口窓部を有し、前記開口窓部に前記レンズアレイが備えられていることを特徴とする請求項１に記載の情報表示媒体である。
【００１１】
また、請求項３に記載の発明は、前記平面状基材の少なくとも一部が光透過性の領域を有し、前記光透過性を有する領域に前記レンズアレイが備えられていることを特徴とする請求項１記載の情報表示媒体である。
【００１２】
また、請求項４に記載の発明は、前記レンズアレイが、円状もしくは円の一部分から成る断面構造を有するマイクロレンズアレイであり、各レンズが正方行列状もしくは三角行列状に配置されていることを特徴とする請求項１〜３のいずれか一項に記載の情報表示媒体である。
【００１３】
また、請求項５に記載の発明は、前記レンズアレイが、三角形状の断面を有するプリズムレンズアレイであることを特徴とする請求項１〜３のいずれか一項に記載の情報表示媒体である。
【００１４】
また、請求項６に記載の発明は、前記レンズアレイの構造体の頂部が前記平面状基材の表面から突出していないことを特徴とする請求項１〜５のいずれか一項に記載の情報表示媒体である。
【００１５】
また、請求項７に記載の発明は、前記第１マイクロパターン及び前記第２マイクロパターン、または前記第１マイクロパターン及び前記第２マイクロパターンのいずれか一方が印刷用インキによって形成されていることを特徴とする請求項１〜６のいずれか一項に記載の情報表示媒体である。
【００１６】
また、請求項８に記載の発明は、前記第１マイクロパターン及び前記第２マイクロパターン、または前記第１マイクロパターン及び前記第２マイクロパターンのいずれか一方が回折、光散乱、光吸収のいずれかの機能を有する微細構造体から形成されていることを特徴とする請求項１〜７のいずれか一項に記載の情報表示媒体である。
【００１７】
また、請求項９に記載の発明は、前記第１マイクロパターンと前記レンズアレイとの重ね合わせによって生じるモアレ効果による拡大画像と、
前記第２マイクロパターンと前記レンズアレイとの重ね合わせによって生じるモアレ効果による拡大画像とが、同じ情報を表示することを特徴とする請求項１〜８のいずれか一項に記載の情報表示媒体である。
【００１８】
また、請求項１０に記載の発明は、前記第１マイクロパターンと前記レンズアレイとの重ね合わせによって生じるモアレ効果による拡大画像と、
前記第２マイクロパターンと前記レンズアレイとの重ね合わせによって生じるモアレ効果による拡大画像とが、異なる情報を表示することを特徴とする請求項１〜８いずれか一項に記載の情報表示媒体である。
【００１９】
また、請求項１１に記載の発明は、前記情報表示媒体を折り曲げ、前記レンズアレイと前記第１マイクロパターンを重ね合わせた際に生じるモアレ効果による拡大画像と、
前記情報表示媒体を反対側に折り曲げ、前記レンズアレイと前記第２マイクロパターンとを重ね合わせた際に生じるモアレ効果による拡大画像によって、請求項１〜１０いずれか一項に記載の情報表示媒体の真偽を判定することを特徴とする真贋判定方法である。
【発明の効果】
【００２０】
本発明の構成とすることによって、第１の発明により、情報表示媒体は、平面状の基材の一部に表裏から観察可能な光透過性のレンズアレイ構造体を有しており、さらに情報表示媒体の基材の一方の主面の一部には、レンズアレイとの重ね合わせによって生じるモアレ効果によって拡大画像を表示可能な第１マイクロパターン領域を有している。
【００２１】
また、第１マイクロパターン領域が形成されている主面とは反対側の面、すなわち裏面には、さらにレンズアレイとの重ね合わせによって生じるモアレ効果によって拡大画像を表示可能な第２マイクロパターン領域を有している。情報表示媒体を折り曲げるなどしてレンズアレイと第１マイクロパターンを重ね合わせモアレ効果による拡大画像によって情報表示媒体の真贋判定を行い、さらに、同様にレンズアレイと第２マイクロパターンを重ね合わせることによって拡大画像によって真贋判定を行うことで１つの情報表示媒体上で複数回の検証によってより確実な真贋判定を行うことが可能となる。
【００２２】
また、第２の発明によると、情報表示媒体はその平面状基材の少なくとも一部に開口窓部を有しており、その開口窓部に光透過性のレンズアレイ構造体を備えている。このような構成によってレンズアレイを設けることによって、情報表示媒体自体が不透明性の素材から成るものであっても表裏面で利用可能なレンズアレイを備えることができる。
【００２３】
また、第３の発明によると、情報表示媒体の平面状基材はその少なくとも一部が光透過性を有する、例えばプラスチックフィルムから成る構成であり、該光透過性を有する領域にレンズアレイを有している。レンズアレイ自体も光透過性を有する構成であるので、情報表示媒体として光透過性を有する平面状基材を採用することで、情報表示媒体に開口窓部を設ける必要がなく、基材とレンズアレイを光透過性の接着材料などで貼着するなどして表裏面で利用可能なレンズアレイを備えることができる。
【００２４】
また、第４の発明によると、レンズアレイは、円状もしくは円の一部分から成る断面構造を有するマイクロレンズアレイから構成されており、各マイクロレンズは正方行列状もしくは三角行列状に配置されている。
【００２５】
このような構成のレンズアレイを採用することによって、第１マイクロパターンないしは第２マイクロパターンとレンズアレイとを重ね合わせた際に、モアレ効果による拡大画像が発見しやすく真贋判定を行いやすい効果が得られる。また、レンズアレイとしてマイクロレンズアレイを採用した場合、マイクロパターンに対するマイクロレンズの向きによってレンズによる結像の程度が変化する。
【００２６】
そのため、マイクロレンズアレイを採用した場合、第１マイクロパターンと第２マイクロパターンとで異なる効果による拡大画像を得ることが可能になる。
【００２７】
また、第５の発明によると、レンズアレイは三角形状の断面を有するプリズムレンズアレイから構成されている。断面が三角形状のプリズムレンズアレイは表裏双方から観察した際に同様の光学効果を発揮するため、第１マイクロパターン上にプリズムレンズアレイを配置した場合と第２マイクロパターン上にプリズムレンズアレイを配置した場合とで同様の光学効果が期待できる。第１マイクロパターンと第２マイクロパターンがそれぞれ同一のパターンであった場合、プリズムレンズアレイを載置することで同一の拡大画像が再生可能である。
【００２８】
また、第６の発明によると、レンズアレイの構造体の頂部が情報表示媒体の平面状基材の表面から突出していない。このような構成にすることで情報表示媒体を多数枚重畳して置いた場合でもレンズアレイの厚みは紙幣の厚みを超えないため、情報表示媒体の総厚は変化せず、多数枚重畳載置しても崩れるなどの不具合が生じない。
【００２９】
また、第７の発明によると、第１マイクロパターンまたは第２マイクロパターンは印刷用インキによって形成されている。印刷用インキによってマイクロパターンを形成することで、高精細な画像表現が可能となるのと同時にカラー表現なども実現できる。また、情報表示媒体の他の領域を同様に印刷によって加工した場合、それらの領域とも親和性の高い意匠表現が可能になる。
【００３０】
また、第８の発明によると、第１マイクロパターン及び第２マイクロパターンの少なくともいずれか一方は、回折、光散乱、光吸収のいずれかの機能を発揮する微細構造体から形成されている。回折、光散乱、光吸収を伴う微細構造体はそれら単独でも偽造防止媒体として採用されているが、それらの微細構造をマイクロパターンとして採用することで、別途レンズアレイを重ね合わせることによってのみ画像が視認可能になることから、より高い偽造防止効果を実現可能となる。
【００３１】
また、第９の発明によると、第１マイクロパターンとレンズアレイとの重ね合わせによって表示される第１拡大画像と、第２マイクロパターンとレンズアレイとの重ね合わせによって表示される第２拡大画像とは同じ情報を表示する。第１拡大画像と第２拡大画像によって同一の情報を表示させるためには、第１マイクロパターンと第２マイクロパターンを精度良く同一に加工する必要があり、さらに、表裏で同一のレンズ効果を発揮するレンズアレイを精度良く加工する必要がある。そのため、作製の難易度が高く偽造防止効果が高い。
【００３２】
また、両面で同一の情報が確認されればその情報表示媒体が真性のものであるという判断基準は判定者にとって理解しやすく、また、真贋を判定する判定者への周知が容易となる利点もある
また、第１０の発明によると、第１マイクロパターンとレンズアレイとの重ね合わせによって表示される第１拡大画像と、第２マイクロパターンとレンズアレイとの重ね合わせによって表示される第２拡大画像とは異なる情報を表示する。第１拡大画像と第２拡大画像によって異なる情報を表示させるためには、第１マイクロパターンと第２マイクロパターンとで異なる加工を行う必要がある。
【００３３】
そのため、この情報表示媒体の偽造を試みる者が現れた場合でも偽造の手間を増やすことができる。また、情報表示媒体の表裏の情報や意匠に合わせて異なる拡大画像を採用可能であることは情報量の増加やアイキャッチ効果の向上にも寄与する。
【００３４】
また、第１１の発明によると、情報表示媒体を折り曲げ、レンズアレイと第１マイクロパターンを重ね合わせることでモアレ効果によって生じる拡大画像を目視観察し、さらに情報表示媒体を反対側に折り曲げ、レンズアレイと第２マイクロパターンとを重ね合わせることで拡大画像を目視観察することで情報表示媒体の真偽を判定する真贋判定方法が提供される。
【００３５】
例えば、紙幣や各種チケット類などの紙や薄いプラスチック基材から成る情報表示媒体は容易に折り曲げて情報表示媒体の一方の面同士を重ね合わせることができるため、マイクロパターン上にレンズアレイを位置合わせして接触させ、拡大画像を表示させることが容易に行え、確実な真贋判定が可能である。また、裏面に配置された第２マイクロパターンを用いた真贋判定においても情報表示媒体を反対側に折り曲げるだけで同様に真贋判定が行えるため、同じ手順で複数回の真贋判定が可能となる。
【図面の簡単な説明】
【００３６】
【図１】本発明の一態様に係る情報表示媒体を概略的に示した平面図である。
【図２】図１に示した、ＩＩ−ＩＩ線に沿う表示体の拡大断面図である。
【図３】レンズアレイとマイクロパターンによるモアレ効果に基づく拡大画像生成の原理を示す概念図である。
【図４】マイクロパターンに採用可能な回折格子の一例を示す斜視図である。
【図５】マイクロパターンに採用可能な光散乱構造体の一例を示す斜視図である。
【図６】マイクロパターンに採用可能な光吸収構造体の一例を示す斜視図である。
【図７】レンズアレイ（マイクロレンズアレイ）とマイクロパターンを重ね合わせた様子を示す断面図である。
【図８】レンズアレイ（マイクロレンズアレイ）とマイクロパターンを重ね合わせた様子を示す断面図である。
【図９】レンズアレイ（マイクロレンズアレイ）とマイクロパターンを重ね合わせた様子を示す断面図である。
【図１０】レンズアレイ（マイクロレンズアレイ）とマイクロパターンを重ね合わせた様子を示す断面図である。
【図１１】レンズアレイ（プリズムレンズアレイ）とマイクロパターンを重ね合わせた様子を示す断面図である。
【発明を実施するための形態】
【００３７】
以下本発明を実施するための形態を、図面を用いて詳細に説明する。なお、全ての図面を通じて、同様又は類似した機能を発揮する構成要素には同一の参照符号を付し、重複する説明は省略する。
【００３８】
＜情報表示媒体の構成について＞
図１は、本発明の一態様に係る情報表示媒体を概略的に示す平面図である。図２は、図１に示す情報表示媒体のＩＩ−ＩＩ線に沿った断面図である。図１及び図２において、Ｘ方向及びＹ方向は情報表示媒体の表面に対して平行であり且つ互いに対して垂直な方向である。また、Ｚ方向は、Ｘ方向及びＹ方向に対して垂直な方向である。
【００３９】
情報表示媒体１は、図１に示すように、レンズアレイ２０及び第１マイクロパターン領域３０及び第２マイクロパターン領域３１を含んでいる。図１において、第１マイクロパターン領域３０は情報表示媒体１の平面状基材１０の表面１１側に設けられている。また、第２マイクロパターン３１は、図示されない平面状基材１０の裏面１２側に設けられているため、点線で示している。図２に示すように、レンズアレイ２０は情報表示媒体１に部分的に設けられた開口窓部１３に構成されている。
【００４０】
平面状基材１０は折り曲げて重ね合わせることが可能な、例えば紙や薄いプラスチック基材もしくはそれらが積層化された複合素材などから成る。プラスチック基材としては、例えば、ポリエチレンテレフタレート（ＰＥＴ）及びポリカーボネート（ＰＣ）などの樹脂から成るフィルム又はシートである。
【００４１】
平面状基材１０は光透過性を有していてもよく、光透過性を有さない不透明なものであってもよい。平面状基材の一部に開口窓部１３を設けることで、平面状基材１０が不透明性の材料から構成されていてもレンズアレイ２０を備えることができる。また、一方で、平面状基材１０の少なくとも一部が光透過性を有していれば、開口窓部１３を設けずにレンズアレイ２０を備え付けることが可能になる。この場合、レンズアレイ２０を平面状基材１０に貼着する方法や、平面状基材１０そのものをレンズアレイ形状に加工する方法を採用することができる。
【００４２】
平面状基材１０は、単層構造であってもよく、多層構造から構成されていてもよい。また、平面状基材１０には防汚処理や帯電防止処理を施してもよく、平面状基材１０がプラ
スチック基材から成る場合は、さらに、反射防止処理、ハードコート処理などを施してもよい。
【００４３】
平面状基材１０には別途、印刷層や機械読み取りを行う磁気ストライプ領域やＩＣチップなどの情報送受信用部材が備えられていてもよい。
【００４４】
＜レンズアレイ２０の構成について＞
レンズアレイ２０は、集光機能ないしは結像機能を有する。レンズアレイ２０に採用可能な構造体の典型例としてはマイクロレンズアレイ２５やプリズムレンズアレイ２６、レンチキュラーレンズアレイ、フレネルレンズアレイなどの微細構造体が挙げられる。また、材料中の屈折率分布を制御することによって集光機能ないしは結像機能をアレイ状に実現させたホログラムも採用することができる。
【００４５】
図２に示すように、レンズアレイ２０は光透過性基材２１と複数のレンズ要素２２とを含んでいる。光透過性基材２１は、例えば、ＰＥＴまたはＰＣなどの樹脂から成るフィルムまたはシートである。光透過性基材２１は省略することができる。
【００４６】
レンズ要素２２は、例えば断面が円状または円の一部の形状から成るマイクロレンズ（球面レンズ）である。レンズ要素２２は、非球面レンズまたは矩形状レンズであってもよい。なお、球面レンズは、球面の一部分から成る面を持つレンズと定義される。また、非球面レンズは、形状を若干ずらした球面の一部分から成る面を持つレンズである。矩形状レンズはＺ方向に平行な断面が矩形状または正方形状のレンズであって、Ｚ方向に平行な方向から観察した場合に例えば格子状または縞状のレンズアレイを構成する。
【００４７】
レンズ要素２２が球面レンズ又は非球面レンズなどの凸レンズである場合、情報表示媒体を折り曲げ、レンズ要素と後述するマイクロパターンの表面を重ね合わせた際に、レンズ要素の焦点からマイクロパターンの表面までの距離を短くすると、より鮮明な像を表示させることができる。レンズ要素の焦点からマイクロパターンの表面までの距離は、例えば、レンズ要素の焦点距離、光透過性基材の厚さや屈折率、又は、レンズ要素の焦点距離及び光透過性基材の厚さや屈折率によって制御することができる。
【００４８】
レンズ要素２２が矩形状レンズであって、これらがＺ方向に平行な方向から観察したときに格子状または縞状のレンズアレイを構成している場合、焦点は存在しない。したがって、この場合、レンズアレイからマイクロパターンの表面までの距離を厳密に制御する必要がない。
【００４９】
レンズ要素２２としてマイクロレンズを採用した場合、直径２０〜２００μｍ、構造高さ１０〜１００μｍ程度のマイクロレンズが正方行列状もしくは三角行列状に整然配置されたものが典型例であるが、集光機能ないしは結像機能を有すればこの範囲の形状にとどまらない。
【００５０】
また、レンズ要素２２としてプリズムレンズアレイ２６を採用することもできる。プリズムレンズアレイ２６は、ピッチ１０〜２００μｍ、構造高さ１０〜２００μｍ程度の、断面が三角形状の細長い構造体が複数隣接配置された構成をとる
また、レンズ要素２２としてレンチキュラーレンズアレイを採用することもできる。レンチキュラーレンズアレイは、ピッチ１０〜２００μｍ、構造高さ１０〜２００μｍ程度の、断面がかまぼこ状の細長い構造体が複数隣接配置された構成をとる。
【００５１】
レンズ要素２２としてプリズムレンズアレイ２６若しくはレンチキュラーレンズアレイを採用した場合、マイクロパターンとの組み合わせによって奥行き感を生じさせる立体的
な画像を表示することもできる。また、レンズ要素の大きさや配置間隔を部分的に変調させることや、レンズ要素の焦点距離を部分的に変化させることで視覚効果を変化させることができる。
【００５２】
また、レンズ要素２２としてフレネルレンズを採用することもできる。フレネルレンズは、通常の凸レンズを同心円状の領域に分割し厚みを減らしたレンズであり、それを複数アレイ状に配置したものがフレネルレンズアレイである。
【００５３】
レンズアレイ２０は、例えば複数のレンズ構造を設けた金型を樹脂に押し付けることにより形成することができる。例えば、レンズアレイ２０は光透過性基材２１上に形成された熱可塑性樹脂に、レンズ要素２２と対になる形状が設けられた金型を、加熱しながら押し当てる方法、すなわち、熱エンボス加工法により得られる。
【００５４】
あるいは、レンズアレイ２０は、光透過性基材２１に紫外線硬化樹脂を塗布し、それに金型を押し当てながら光透過性基材２１側から紫外線を照射することによって紫外線硬化樹脂を硬化させ、その後、金型を取り外す方法によって形成することができる。
【００５５】
また、レンズアレイ２０は情報表示媒体の平面状基材１０上に直接貼付してもよい。直接平面状基材上にレンズアレイ２０を設けることで光透過性基材２１を省略することができる。また、レンズアレイ２０は平面状基材１０を直接加工してもよい。平面状基材１０として光透過性の材料を採用し、平面状基材１０を例えば複数のレンズ構造を設けた金型によって熱及び／または圧力によって直接平面状基材の表面をレンズ形状にしてもよい。
【００５６】
レンズアレイ２０の材料としては、例えば、アクリル系樹脂、ポリカーボネート系樹脂、スチレン系樹脂およびアクリル系／スチレン系共重合樹脂等の熱可塑性樹脂材料または紫外線硬化樹脂を使用することができる。レンズアレイ２０の材料として、樹脂を使用する代わりに珪酸塩を含んだ無機系材料を使用してもよい。
【００５７】
＜マイクロパターン領域の構成について＞
マイクロパターン領域３０は、図３に示すように、単位画像３２を単位領域３３に対応して規則的に配置している。図３に示した複数の円はマイクロパターン領域３０上にレンズアレイとして正方行列で配置されたマイクロレンズから成るマイクロレンズアレイ２５を載置した際のレンズ要素２２を仮想的に図示したものである。レンズ要素２２の配列と単位領域３３の配置間隔は等しく、単位画像３２の列をレンズ要素２２の列に対してわずかに異ならしめることによって、マイクロパターンとレンズアレイ２０との間にモアレ効果を生じさせて、複数の単位画像３２を合成しレンズアレイ２０によって拡大させた拡大画像を表示させることが可能になる。
【００５８】
拡大画像の拡大率は、単位画像３２の列とレンズ要素２２の列との成す角度αに応じて変化する。角度αを小さくするほど拡大率は大きくなり、角度αを大きくするほど拡大率は小さくなる。ここで角度αを０°と定めると拡大画像は無限大の大きさとなり全体像を観察することができなくなる。情報表示媒体においてこのモアレ効果による拡大画像を表示させる場合においては角度αを数度、典型的には２°程度とするとよい。
【００５９】
マイクロパターン領域３０に構成される単位画像は印刷によって加工することができる。印刷用インキによってマイクロパターンを形成することで、高精細な画像表現が可能となり、カラー表現なども実現できる。また、情報表示媒体の他の領域を同様に印刷によって加工した場合、それらの領域とも親和性の高い意匠表現が可能になる。
【００６０】
また、マイクロパターン領域３０に回折、光散乱、光吸収の少なくともいずれかの機能
を発揮する微細構造体を採用し、単位画像を構成することも可能である。
【００６１】
マイクロパターン領域３０に採用可能な微細構造体としては、図４に示すような断面が周期的な凹凸構造である回折格子４０が挙げられる。回折格子は回折によって虹色に輝く分光色を射出し、光源の位置や観察者の観察角度など観察条件に応じて、色や絵柄が変化する像を表示する機能を実現できる。
【００６２】
マイクロパターン領域３０に採用可能な別の構造として、光散乱構造体が挙げられる。光散乱構造体４１は、図５の斜視図に示したように大きさや形、構造の高さが異なる凹凸形状が不規則に複数配置されたものが典型的である。光散乱構造体４１に入射した光は、四方八方に乱反射し、観察した際には白色または白濁色に見える。光散乱構造体４１は典型的には、幅３μｍ以上、高さが１μｍ以上のものが多く、回折格子４０や後述する光吸収構造体４２と比較して大きい構造である。また、その大きさや配置間隔、形状は不揃いである。そのため、光を散乱する効果が得られる。
【００６３】
また、マイクロパターン領域３０に採用可能な構造として、微細な凹凸構造から成る光吸収構造体４２が挙げられる。光吸収構造体４２は、図６の斜視図に示したような円錐状の構造や、角錐状の構造が整然配置されたものが典型的であり、前記構造は、可視光の波長以下（例えば４００ｎｍ以下）のピッチで配置され、構造の高さは例えば３００μｍ以上で高いほうがより光吸収効果が高い。前記のような仕様で形成されている光吸収構造体４２は入射する可視光の反射を防止若しくは低減する機能を有し、観察した際に黒色もしくは暗灰色等の無彩色に見える。
【００６４】
これらの微細構造が形成されたマイクロパターン領域３０は、微細構造が空気界面に対して露呈した形態であってもよいし、光透過性の包埋樹脂などによって表面が被覆された形態であってもよい。これらの微細構造体はさらに、微細構造の表面に追従するように金や銀、アルミ、銅などの金属や、酸化チタン（ＴｉＯ２）、硫化亜鉛（ＺｎＳ）などの誘電体から成る光反射層を例えば１０〜１００ｎｍ程度設けることで、視認性を向上させることができる。
【００６５】
なお、これらの微細構造を実現するには、例えばフォトリソグラフィの工程を利用することができる。電子線やレーザー等の荷電粒子ビームによって平面状の基板（ガラス基板が一般的に用いられる）に略均一に塗布された感光性レジストを露光し、現像することで所望の微細構造を得ることができる。
【００６６】
感光性レジストがポジ型レジストと呼ばれるものであれば、荷電粒子ビームが照射された部分が現像後溶解し、ネガ型レジストと呼ばれるものであれば、荷電粒子ビームが照射された部分が現像後に残り、照射されていない部分が溶解する。基板は、高精度に位置調整が可能なＸＹステージ上に載置され、コンピュータ制御のもとでステージを移動させながら荷電粒子ビームが照射される位置が決定される。
【００６７】
感光性レジストによる微細構造は脆いため、このようにして得られた基板は量産用のスタンパとしては適さないので、この基板を原版として、そこから電鋳等の方法により金属製のスタンパを作製する。電鋳とは、電鋳の対象物を所定の水溶液中に浸し、通電することで電子の還元力により、金属皮膜を形成する表面処理技術の一種であり、このような方法を用いることで、原版の表面に設けられた微細な凹凸構造を精度良く金属版として転写成形することができる。
【００６８】
電鋳の対象物の表面は通電可能である必要があり、一般に感光性レジストは電気を通さないので、電鋳を行う前にスパッタリングや真空蒸着等の気相堆積法により、構造の表面
に金属薄膜があらかじめ設けられる。
【００６９】
次いで、この金属製スタンパを母型として用いて、微細構造を複製する。即ち、まず、例えば、ＰＥＴまたはＰＣからなる透明基材上に、熱可塑性樹脂または光硬化性樹脂を塗布する。次に、塗膜に金属製スタンパを密着させ、この状態で樹脂層に熱または光を与える。樹脂が硬化した後、硬化した樹脂から金属製スタンパを剥離することにより、微細構造を複製することができる。
【００７０】
一般に、基材や形成用の樹脂材料は透明である。したがって、通常、微細構造を設けた樹脂層上には、蒸着等によりアルミニウム等の金属又は誘電体を単層又は多層に堆積させることにより反射層を形成する。
【００７１】
このような工程によって作製された微細構造を、その後例えば接着材料を介して情報表示媒体の平面状基材に貼付することで微細構造から成るマイクロパターン領域３０を形成することができる。
【００７２】
このような工程によって実現される微細構造は印刷と比較して非常に解像度の高い微細なパターンを実現可能であり、マイクロパターンとしての利用に適している。また微細構造そのものが回折、光散乱、光吸収といったような通常の印刷用インキでは表示されない特殊な光学効果を発揮するため、レンズアレイによって表示される拡大画像もまた偽造防止効果が高く、さらにアイキャッチ効果が高いものとなる。
【００７３】
なお、マイクロパターン領域３０は印刷や回折、光散乱、光吸収などを伴う微細構造を複数組み合わせた構成としてもよい。
【００７４】
＜実施形態について＞
図７は、本発明の情報表示媒体１において、平面状基材１０を折り曲げ、レンズアレイ２０が第１マイクロパターン領域３０上に載置されるように保持した様子を示した断面図である。ここで、レンズアレイ２０は一例としてマイクロレンズアレイ２５であり、レンズ要素２２は平面状基材の裏面１２側に凸状である構造としている。ここで、図７においては、レンズアレイ２０は平面状基材１０に設けられた貫通穴である開口窓部１３の内部に設けられている。
【００７５】
平面状基材１０が光透過性を有する材料で構成されている場合、図８のように、レンズアレイ２０は平面状基材１０に接着材料などを介して貼着するなどして構成することもできる。さらに図９のように、レンズアレイ２０は光透過性を有する平面状基材１０を直接加工することで実現することもできる。
【００７６】
第１マイクロパターン領域３０上にレンズアレイ２０を載置することによって第１マイクロパターン領域３０に設けられた複数の単位画像３２と、マイクロレンズアレイ２５との重ね合わせによってモアレ効果による第１拡大画像が生じ、観察者はその像を知覚することができる。図３に示す、第１拡大画像は複数の単位画像３２の列とマイクロレンズアレイ２５の列とが成す角αによってその拡大率が決定されるため、観察者が適宜、第１マイクロパターン領域３０上でレンズアレイ２０を滑らせて移動させることで、拡大画像が視認しやすい拡大率となる重なり角αを容易に見つけ出すことができる。
【００７７】
また図１０は、情報表示媒体１を図７とは反対の方向に折り曲げ、レンズアレイ２０が第２マイクロパターン領域３１上に載置されるように保持した際の概念図である。この場合、マイクロレンズアレイ２５は図７とは逆向きとなり、平面状基材の裏面１２側に凸状となる。この場合、図７とはマイクロパターンに対するレンズの向きが変わることで焦点
位置が変わり、レンズの作用が変化し表示される拡大画像が変化する。ここで第１マイクロパターン領域３０と第２マイクロパターン領域３１が同じパターンであったとしてもレンズ要素２２が逆向きであるため表示される画像は同一のものとはならない。
【００７８】
マイクロパターン領域が情報表示媒体の両面にあることで、１つのレンズアレイによってそれぞれ異なる拡大画像を得ることができ、複数回の真贋判定を行うことが可能となる。ここで、情報表示媒体はレンズアレイを備えているため、別途特別な検証器具などを用意する必要がなく真贋判定を行えるという利点も有する。
【００７９】
図１１はレンズアレイ２０が断面が三角形状のレンズから成るプリズムレンズアレイ２６から構成されている例である。プリズムレンズアレイ２６は屈折率が異なる２種類の樹脂２７及び２８によって構成されており、その表面は平滑になっている。レンズアレイがこのような構成である場合、平面状基材の表面側にレンズアレイを載置した場合でも、平面状基材の裏面側にレンズアレイを載置した場合でも同様の光学効果が期待できる。ここで、第１マイクロパターン領域３０と第２マイクロパターン領域３１とに同一の画像を用いた場合、表裏双方で同様な拡大画像を表示させることが可能になる。
【００８０】
このように、構成や材料によっては両面が平滑なレンズアレイを採用することも可能である。表面が平滑なレンズを採用することで、長期間の使用に際にしてもごみや異物の混入を防止することができ、また外的な要因によるレンズの欠損も防止することができる。
【符号の説明】
【００８１】
１・・・情報表示媒体
１０・・・平面状基材
１１・・・（平面状基材の）表面
１２・・・（平面状基材の）裏面
１３・・・開口窓部
２０・・・レンズアレイ
２１・・・光透過性基材
２２・・・レンズ要素
２５・・・マイクロレンズアレイ
２６・・・プリズムレンズアレイ
２７・・・樹脂
２８・・・樹脂
３０・・・第１マイクロパターン領域
３１・・・第２マイクロパターン領域
３２・・・単位画像
３３・・・単位領域
４０・・・回折格子
４１・・・光散乱構造体
４２・・・光吸収構造体
【図１】
2014046667.tif 000003
【図２】
2014046667.tif 000004
【図３】
2014046667.tif 000005
【図４】
2014046667.tif 000006
【図５】
2014046667.tif 000007
【図６】
2014046667.tif 000008
【図７】
2014046667.tif 000009
【図８】
2014046667.tif 000010
【図９】
2014046667.tif 000011
【図１０】
2014046667.tif 000012
【図１１】
2014046667.tif 000013